(57)【要約】【課題】  簡単な構造で、水源の漏洩を防止し、安全便利に出水スイッチ交換を行えるようにすること。【解決手段】  出水端が出水スイッチのネジ部と螺合され、入水端が貯水設備の出水管と螺接されたバルブ、及びバルブの入水端より挿入されたバルブロッドで構成され、バルブ内部中段に位置決めフランジが環状に設けられ、位置決めフランジの中央に円錐状穿孔が設けられ、バルブロッド前端に階段状ロッドが設けられ、押動ブロックの係止に供され、その末段外環が円錐状を呈し、バルブ中段の位置決めフランジに設けられた円錐状穿孔と接合定位され、その最末端中央にロッド方向に向けて受力溝が凹設され、出水スイッチがバルブの出水端に螺接される時、該出水スイッチが押動ブロックを圧迫し、バルブロッドを駆動してバルブの入水端に向けて移動させ、バルブ内部に通路を形成させて、水源をバルブ入水端より出水スイッチに供給する。【選択図】        図３
0003116869.tif 000002
【実用新案登録請求の範囲】
【請求項１】
出水端が出水スイッチのネジ部と螺合され、入水端が貯水設備の出水管と螺接されたバルブ、及びバルブの入水端より挿入されたバルブロッドで構成された出水スイッチの止水弁において、バルブ内部中段に位置決めフランジが環状に設けられ、位置決めフランジの中央に円錐状穿孔が設けられ、バルブロッド前端に階段状ロッドが設けられ、押動ブロックの係止に供され、その末段外環が円錐状を呈し、バルブ中段の位置決めフランジに設けられた円錐状穿孔と接合定位され、その最末端中央にロッド方向に向けて受力溝が凹設され、簡単な構造で、水源の漏洩を防止し、安全便利に出水スイッチ交換を行えることを特徴とする、出水スイッチの止水弁。
【請求項２】
請求項１記載の出水スイッチの止水弁において、貯水設備の出水管が製造される時、止水弁が出水管の末端に一体に形成され、全体の出水管が止水弁の構造も有することを特徴とする、出水スイッチの止水弁。
【請求項３】
請求項１記載の出水スイッチの止水弁において、バルブロッドの最末端の受力溝が尖錐状を呈することを特徴とする、出水スイッチの止水弁。
【考案の詳細な説明】
【技術分野】
【０００１】
本考案は簡単な構造で、水源の漏洩を防止し、安全便利に出水スイッチ交換を行えるようにする出水スイッチの止水弁に関する。
【背景技術】
【０００２】
現在、一般の貯水設備（例えば貯水タンク）の出水管は、さらに出水スイッチ（例えば蛇口）と接続して貯水設備の水を出水スイッチより流出させる場合、ほとんどは直接出水スイッチのネジ部が直接貯水設備の出水管の出水端と螺接される。
【０００３】
しかし、時代の進歩に伴い、特に高層ビルが林立する状況にあって、往々にして貯水設備は屋上に設けられ、その出水管との出水スイッチの螺接期間がある期間をすぎると、漏水、損耗が発生し、交換が必要となる。このとき、屋上に登り、全体の貯水設備のメインスイッチを閉じなければ、交換動作を行えず、そうでなく出水スイッチを直接貯水設備の出水管より取り外すと、厳重な水資源の浪費を形成し、また交換時、交換業者は屋上に登りメインスイッチを閉じた後でなければ交換を行えず、このような数々の弊害が発生する。
【０００４】
ゆえに、市場には上述の欠点に対して、出水スイッチ使用の止水弁が提供され、例えば、図１、２に示される出水スイッチ２（蛇口）の例では、その止水弁は、バルブ３、バルブロッド４、推力バネ５及び押動ブロック６で構成されている。
【０００５】
そのうち、バルブ３は、中空管材３１であり、その入水端３２は雄ネジ３２１で貯水設備（例えば水タンク）の出水管７に接続され、出水端３３に雌ネジ３３１が設けられ、出水スイッチ２がそのネジ部２１でバルブ３の出水端３３に螺接され、バルブ３の入水端３２外側に凹円弧状のストッパ縁３２２が設けられ、バルブ３内壁の入水端３２近くに階段状の当接縁３４が設けられている。
【０００６】
バルブロッド４は、ロッド４１の一端にフランジ４１１が設けられ、該ロッド４１はバルブ３内側を貫通し、フランジ４１１をバルブ３の入水端３２外に露出させ、該フランジ４１１に組み合わされたバルブ３のストッパ縁３２２にゴム材質の円錐状の止水プラグ４２が設けられ、且つバルブロッド４のロッド４１の端部に嵌合される。
【０００７】
該推力バネ５は、バルブ３の内側に取り付けられ、並びにバルブロッド４に嵌合され、また、該推力バネ５の一端はバルブ３内壁の当接縁３４に当接している。
【０００８】
該押動ブロック６は、バルブロッド４のロッド４１に螺接され、その一側が押動ブロック６の当接縁３４から離れた別端に圧接され、並びにバルブロッド４のロッド４１の押動ブロック６外側位置に締めつけナット６２が螺合されている。
【０００９】
上述の構造で構成され、先に止水弁のバルブ３の入水端３２が雄ネジ３２１で貯水設備の出水管７に螺接され、止水弁と出水管７が一体とされた後、蛇口を交換する時、出水スイッチ２のネジ部２１がバルブ３の出水端３３にねじ込まれる。このとき、出水スイッチ２のネジ部２１外端が押動ブロックを押動して押動ブロックにバルブロッド４を駆動させてバルブ３の入水端３２に向けて移動させ、止水プラグ４２を開放させ、出水スイッチ２が貯水設備の水源を出水管７を通してバルブ３に流し、その出水端３３より出水スイッチ２に供給する。さらに、出水スイッチ２はある時間使用後、その止水リングが材料の疲労により漏水或いは故障を発生して交換が必要となると、そのネジ部２１でバルブ３の出水端３３の雌ネジ３３１より取り外されるが、このとき、止水弁の押動ブロック６が推力バネ５の押圧を受け、バルブロッド４を駆動して出水端３３に無いけて移動させ、止水プラグ４２をバルブ３の出水端３２に向けて引っ張り、止水プラグ４２をバルブ３のストッパ縁３２２に圧接させ、水源を遮断し、貯水設備の水を止水プラグ４２で阻止し、バルブ３からの流出を防止する。特に、出水スイッチ２を取り外す時、バルブ３のバルブロッド４は即刻自動クローズし、ゆえに貯水設備内の水源が大量に漏出する恐れがなく、このため交換上の問題及び水源の浪費を形成しない。
【００１０】
上述の止水弁構造は、蛇口等出水スイッチの交換時に、水源の漏洩による水資源の浪費を形成せず、交換に便利ではあるが、全体の止水弁構造が、バルブ３、バルブロッド４、推力バネ５、押動ブロック６、及び押動ブロック６の外側に螺合されてバルブロッド４、推力バネ５、押動ブロック６を一体に緊合させる締めつけナット６２で構成され、その構成部品が相当に複雑である。このためその材料コストがかかるほか、組み立て時の複雑性が形成され、改善が求められる。次に、バルブロッド４の一端に嵌合される止水プラグ４２は、ゴム材質で形成され、往々にしてある時間使用すると、変質を発生して材料疲労をもたらしやすく、特に、バルブ３に進入する水が熱水である時、この状況はさらに容易に発生し、厳重にそれとバルブ３の当接縁３４の当接時の密着度を減らし、漏水の恐れを形成する。さらに、バルブロッド４のロッドの１端に嵌合された止水プラグ４２は、バルブのストッパ縁３２２と圧接して水遮断の目的を達成するが、これは止水弁の押動ブロック６が推力バネ５の押圧を受けて、バルブロッドを出水端に向けて移動させて、止水プラグ４２をバルブ３の出水端３２に向けて引っ張ることによる。ゆえに、同様に、ある期間使用した後に、推力バネ５に弾性疲労が発生して止水プラグ４２とバルブ３のストッパ縁３２２との間の有効な圧接が失われ、漏水の恐れが発生し、且つその水源が熱水である時、このような漏水状況に気づかないと、人を傷つける恐れがあり、改善が求められている。
【考案の開示】
【考案が解決しようとする課題】
【００１１】
本考案は前述の構造の理想的でない部分について改良を行うものである。その主要な目的は、一種の出水スイッチの止水弁を提供することにある。それは、出水端が出水スイッチのネジ部と螺合され、入水端が貯水設備の出水管と螺接されたバルブ、及びバルブの入水端より挿入されたバルブロッドで構成され、その特徴は以下のとおりである。即ち、バルブ内部中段に位置決めフランジが環状に設けられ、位置決めフランジの中央に円錐状穿孔が設けられ、バルブロッド前端に階段状ロッドが設けられ、押動ブロックの係止に供され、その末段外環が円錐状を呈し、バルブ中段の位置決めフランジに設けられた円錐状穿孔と接合定位され、その最末端中央にロッド方向に向けて受力溝が凹設され、出水スイッチがバルブの出水端に螺接される時、該出水スイッチが押動ブロックを圧迫し、バルブロッドを駆動してバルブの入水端に向けて移動させ、バルブ内部に通路を形成させて、水源をバルブ入水端より出水スイッチに供給する。出水スイッチをバルブより取り外す時は、バルブロッドの最も末端の受力溝が水圧の作用を受けてバルブロッド末段の円錐状外環とバルブ内部の円錐状穿孔が圧接して水を遮断し、簡単な構造で、水源の漏洩を防止し、安全便利に出水スイッチ交換を行える。
【００１２】
本考案の次の目的は、一種の出水スイッチの止水弁を提供することにあり、そのうち、全体の止水弁は、わずかに、バルブ、バルブロッド及び押動ブロックで構成され、ゆえに、構成部品が簡単で、その製造及び材料コストを大幅に削減でき、組み立てが簡便である。
【００１３】
本考案のさらに一つの目的は、一種の出水スイッチの止水弁を提供することにあり、そのうち、止水弁中のバルブロッドは、バルブロッドと同一材料例えば金属で形成され、直接その末端外縁より環状に設けられて円錐状を呈し、バルブ中段の位置決めフランジに設けられた円錐状穿孔と接合定位され、並びにその最末端中央にロッド方向に受力溝が凹設され、これによりバルブに進入する水源が熱水の時、周知の技術のようにゴム材料で形成された止水プラグが変質、材料疲労を発生することがなく、バルブロッド末段の円錐状外環が有効にバルブ内部の円錐状穿孔と当接し、水源を遮断する。
【００１４】
本考案のさらに別の目的は、一種の出水スイッチの止水弁を提供することにあり、そのうち、止水弁中のバルブロッドは、その末段の円錐状外環がバルブ内部の円錐状穿孔と有効に完全な当接接合を形成して水源を遮断するため、出水スイッチが損壊した時、直接取り外して交換できるほか、止水弁に進入する水源が熱水の時、熱水を止水弁の出水端より噴出させて人を傷つけることがなく、安全防護の効果を達成する。
【課題を解決するための手段】
【００１５】
請求項１の考案は、出水端が出水スイッチのネジ部と螺合され、入水端が貯水設備の出水管と螺接されたバルブ、及びバルブの入水端より挿入されたバルブロッドで構成された出水スイッチの止水弁において、バルブ内部中段に位置決めフランジが環状に設けられ、位置決めフランジの中央に円錐状穿孔が設けられ、バルブロッド前端に階段状ロッドが設けられ、押動ブロックの係止に供され、その末段外環が円錐状を呈し、バルブ中段の位置決めフランジに設けられた円錐状穿孔と接合定位され、その最末端中央にロッド方向に向けて受力溝が凹設され、簡単な構造で、水源の漏洩を防止し、安全便利に出水スイッチ交換を行えることを特徴とする、出水スイッチの止水弁としている。
請求項２の考案は、請求項１記載の出水スイッチの止水弁において、貯水設備の出水管が製造される時、止水弁が出水管の末端に一体に形成され、全体の出水管が止水弁の構造も有することを特徴とする、出水スイッチの止水弁としている。
請求項３の考案は、請求項１記載の出水スイッチの止水弁において、バルブロッドの最末端の受力溝が尖錐状を呈することを特徴とする、出水スイッチの止水弁としている。
【考案の効果】
【００１６】
本考案は一種の出水スイッチの止水弁を提供し、それは、簡単な構造で、水源の漏洩を防止し、安全便利に出水スイッチ交換を行えるようにする。
【考案を実施するための最良の形態】
【００１７】
図３、４、５に示されるように、本考案の出水スイッチの止水弁は、出水端８１が出水スイッチ２のネジ部２１と螺合され、入水端８２が貯水設備の出水管７と螺接されたバルブ８、及びバルブ８の入水端８２より挿入されたバルブロッド９で構成されている。本考案の最も主要な特徴は以下のとおりである。即ち、バルブ８内部中段に位置決めフランジ８３が環状に設けられ、位置決めフランジ８３の中央に円錐状穿孔８４が設けられ、バルブロッド９前端に階段状ロッド９１が設けられ、複数の穿孔９２１を具えた押動ブロック９２の係止に供され、その末段外環９３が円錐状を呈し、バルブ８中段の位置決めフランジ８３に設けられた円錐状穿孔８４と接合定位され、その最末端中央にロッド方向に向けて受力溝９４が凹設されている。
【００１８】
上述の構造により、まず、止水弁のバルブ８の入水端８２が貯水設備の出水管７に螺接され、止水弁と出水管７が螺接された後、出水スイッチ２がバルブ８の出水端８２に螺接される時、該出水スイッチ２が押動ブロック９２を圧迫し、バルブロッド９を駆動してバルブ８の入水端８２に向けて移動させ、バルブ８内部に通路を形成させて、水源をバルブ８入水端８２より出水スイッチ２に供給する。出水スイッチ２をバルブ８より取り外す時は、バルブロッド９の最も末端の受力溝９４が水圧の作用を受けてバルブロッド９末段の円錐状外環９３とバルブ８内部の円錐状穿孔８４が圧接して水を遮断し、簡単な構造で、水源の漏洩を防止し、安全便利に出水スイッチ交換を行える。
【００１９】
また、図６に示されるように、貯水設備の出水管７は最初に製造される時、止水弁が出水管７の末端に一体に形成され、全体の出水管７が止水弁の構造も有する。
【図面の簡単な説明】
【００２０】
【図１】周知の構造の立体分解図である。
【図２】周知の構造の組合せ断面図である。
【図３】本考案の立体分解図である。
【図４】本考案の組合せ断面操作表示図である。
【図５】本考案の組合せ断面操作表示図である。
【図６】本考案の別の実施例図である。
【符号の説明】
【００２１】
２  出水スイッチ          ２１  ネジ部          ３  バルブ
３１  管材                ３２  入水端          ３２２  ストッパ縁
３３  出水端              ３３１  雌ネジ        ３４  当接縁
４  バルブロッド          ４１  ロッド          ４１１  フランジ
４２  止水プラグ          ５  推力バネ          ６  押動ブロック
６１  締めつけナット      ７  出水管
８  バルブ                ８１  出水端          ８２  入水端
８３  位置決めフランジ    ８４  穿孔            ９  バルブロッド
９１  ロッド              ９２  押動ブロック    ９２１  穿孔
９３  外環                ９４  受力溝
【図１】
0003116869.tif 000003
【図２】
0003116869.tif 000004
【図３】
0003116869.tif 000005
【図４】
0003116869.tif 000006
【図５】
0003116869.tif 000007
【図６】
0003116869.tif 000008